(57)【要約】【課題】ヘッドランプをラジエータコアサポートに精度良く取り付けることができるヘッドランプの取付構造の提供。【解決手段】自動車のヘッドランプ８がラジエータコアサポート１に設けられる取付点Ａ〜Ｄに固定されるヘッドランプの固定構造において、ヘッドランプ８が前記各取付点Ａ〜Ｄに対応する取付部４ａ，４ｂ，８ｅ，８ｇを備え、取付点Ｃ，Ｄを、該ラジエータコアサポート１に対して所定位置となるよう位置調整可能な別体ブラケット５，７で形成し、ヘッドランプ８をラジエータコアサポート１に固定する際、前記別体ブラケット５，７をラジエータコアサポートの所定の位置に固定した後、該別体ブラケット５，７を含む取付点Ａ〜Ｄにヘッドランプの取付部４ａ、４ｂ、８ｅ、８ｇを固定したこととした。【選択図】        図１
2004262325.tif 000002
【特許請求の範囲】
【請求項１】
自動車のヘッドランプがラジエータコアサポートに設けられる少なくとも３箇所以上の取付点に固定されるヘッドランプの固定構造において、
前記ヘッドランプが前記各取付点に対応する取付部を備え、
前記取付点のうち少なくとも１箇所を該ラジエータコアサポートに対して所定位置となるよう位置調整可能な別体ブラケットで形成し、
前記ヘッドランプをラジエータコアサポートに固定する際、前記別体ブラケットをラジエータコアサポートの所定の位置に固定した後、該別体ブラケットを含む取付点にヘッドランプの取付部を固定することを特徴とするヘッドランプの取付構造。
【発明の詳細な説明】
【０００１】
【発明の属する技術分野】
本発明はフロントエンドモジュールのラジエータコアサポートに取り付けられるヘッドランプの取付構造に関する。
【０００２】
【従来の技術】
従来、自動車のヘッドランプはフロントエンドモジュールの組立生産ラインでラジエータコアサポートに取り付けられた後、該ラジエータコアサポートと共に車体へ組み付けられるようになっている（特許文献１参照）。
【０００３】
そして、ヘッドランプをラジエータコアサポートに取り付ける際には、該ヘッドランプをラジエータコアサポートに対して精度良く位置決めした状態で固定する必要がある。
【０００４】
そこで、ラジエータコアサポートにヘッドランプを固定するための取付点が３箇所以上設定されており、該取付点の各々の３軸（車両幅方向、車両前後方向、車両上下方向）のうちいずれか１軸または２軸を精度良く位置決めした状態で各取付点にヘッドランプを固定することにより、ヘッドランプをラジエータコアサポートに精度良く取り付けている。
【０００５】
【特許文献１】
特開２００１−４７９３４号公報  （第１−３頁、第１図）
【０００６】
【発明が解決しようとする課題】
しかしながら、従来の発明においては、ラジエータコアサポートの取付点の位置出しがラジエータコアサポートの製品精度に依存しているため、ラジエータコアサポートの成形ばらつき、ヘッドランプの製品ばらつき、組立ばらつき、構成部品単体ばらつきなどが発生した場合、治具などを用いて各取付点の位置出しを行う必要があり、時間と手間が大変かかるという問題点があった。
【０００７】
本発明は、上記問題点に着目してなされたもので、その目的とするところは、ヘッドランプを固定するラジエータコアサポートの複数の取付点のうち、少なくともいずれか１箇所の取付点を別体ブラケットにすることによって、ヘッドランプをラジエータコアサポートに精度良く取り付けることができるヘッドランプの取付構造を提供することにある。
【０００８】
【課題を解決するための手段】
請求項１記載の発明では、自動車のヘッドランプがラジエータコアサポートに設けられる少なくとも３箇所以上の取付点に固定されるヘッドランプの固定構造において、前記ヘッドランプが前記各取付点に対応する取付部を備え、前記取付点のうち少なくとも１箇所を該ラジエータコアサポートに対して所定位置となるよう位置調整可能な別体ブラケットで形成し、前記ヘッドランプをラジエータコアサポートに固定する際、前記別体ブラケットをラジエータコアサポートの所定の位置に固定した後、該別体ブラケットを含む取付点にヘッドランプの取付部を固定することを特徴とするヘッドランプの取付構造。
【０００９】
【発明の作用及び効果】
請求項１記載の発明にあっては、ラジエータコアサポートに設けられる少なくとも３箇所以上の取付点のうち少なくとも１箇所が、該ラジエータコアサポートに対して所定位置となるよう位置調整可能な別体ブラケットで形成されるようになる。
【００１０】
そして、ヘッドランプをラジエータコアサポートに固定する際には、別体ブラケットをラジエータコアサポートに対して所定位置に位置調整して固定した後、ヘッドランプを別体ブラケットに固定することによって、ヘッドランプが適正な位置に位置決めされる。
【００１１】
そして、前記ヘッドランプを他の取付点において各々固定することによって、ヘッドランプをラジエータコアサポートに取り付けることができる。
【００１２】
従って、別体ブラケットをラジエータコアサポートに対して所定位置に固定し、該別体ブラケットにヘッドランプを固定した後、他の取付点においてラジエータコアポートに固定するという簡便な作業でもって、ヘッドランプをラジエータコアサポートに精度良く取り付けることができる。
【００１３】
【発明の実施の形態】
以下、本発明のヘッドランプの取付構造の実施の形態を説明する。
図１は本発明の実施の形態のヘッドランプ取付構造を示す斜視図、図２は本実施の形態の別体ブラケット及びヘッドランプを取り付ける前のヘッドランプ取付構造を示す斜視図である。
【００１４】
１はラジエータコアサポートを示し、車幅方向に伸びるラジエータコアアッパ２と、このラジエータコアアッパ２に並設するラジエータコアロア６と、前記ラジエータコアアッパ２とラジエータコアロア６の略中央部を上下方向に結合するフードロックステイ（図示せず）と、前記ラジエータコアアッパ２とラジエータコアロア６の両端部同士を上下方向に結合するラジエータコアサイド３を主要な構成として全体が金属製で形成されている。
【００１５】
そして、前記ラジエータコアアッパ２の両端部には車両後方側に伸びるラジエータコアアッパサイド部４が形成されると共に、このラジエータコアアッパサイド部４の上面には後述する２箇所のボルト挿通孔４ａ，４ｂが形成されている。
【００１６】
前記ラジエータコアサイド３には後述する別体ブラケット５が設けられている。
前記別体ブラケット５は前方側に屈折したＬ字形状の金属板で形成されると共に、側壁部５ａには２箇所のボルト挿通孔５ｂ，５ｃが形成されている。
【００１７】
一方、図２に示すように、ラジエータコアサイド３には前記ボルト挿通孔５ｂ，５ｃに対応し、かつ、上下方向に長く形成されたボルト挿通孔３ａ，３ｂが形成され、前記別体ブラケット５のボルト挿通孔５ｂ，５ｃの前方側からラジエータコアサイド３のボルト挿通孔３ａ，３ｂにボルトＢ１，Ｂ１を挿通させてそれぞれナット（図示せず）で固定することにより、別体ブラケット５をラジエータコアサイド３に対して上下方向に任意の位置で決定して固定できるようになっている。
【００１８】
また、前記別体ブラケット５の底面部５ｄには後述するボルト挿通孔５ｅが形成されている。
【００１９】
前記ラジエータコアサポート１の下部には、ラジエータコアサイド３に溶接固定され、車幅方向に伸びるラジエータコアロア６が形成されている。
【００２０】
そして、前記ラジエータコアロア６の先端には別体ブラケット７が設けられている。
前記別体ブラケット７の基部７ａの前方側には２箇所のボルト挿通孔７ｂ，７ｃが形成されている。
【００２１】
一方、図２に示すように、ラジエータコアロア６に前記ボルト挿通孔７ｂ，７ｃに対応し、該ボルト挿通孔７ｂ，７ｃよりも径が大きいボルト挿通孔６ａ，６ｂが形成され、前記別体ブラケット７のボルト挿通孔７ｂ，７ｃからラジエータコアロア６のボルト挿通孔６ａ，６ｂにボルトＢ２，Ｂ２を挿通させてそれぞれナット（図示せず）で固定することにより、別体ブラケット７をラジエータコアロア６に対して車幅方向及び上下方向に任意の位置で決定して固定できるようになっている。
【００２２】
前記別体ブラケット７の基部７ａの上方には該基部７ａに溶接固定された突設部７ｄが形成されると共に、該突設部７ｄは車幅方向に屈折したＬ字形状に形成され、側壁部７ｅには後述するボルト挿通孔７ｇが形成されている。
【００２３】
ヘッドランプ８（一点鎖線で図示）は、図外のヘッドランプバルブを内装したヘッドランプ灯室などを前部のアウタレンズと後部のヘッドランプハウジングで囲繞するように構成されており、予め自動車の部品生産ライン上にて一体的に組立てられている。
【００２４】
そして、前記ヘッドランプ８はラジエータコアサポート１に対してラジエータコアアッパサイド部４の２箇所と、ラジエータコアサイド３と、ラジエータコアロア６の合計４箇所の取付点Ａ〜Ｄで固定される。
【００２５】
以下、ヘッドランプ８の４箇所の取付点Ａ〜Ｄについて詳述する。
ヘッドランプ８の後方側上部には、板状の取付部８ａ，８ｂがそれぞれ形成されると共に、これら両取付部８ａ，８ｂの先端には前記ラジエータコアアッパサイド部４のボルト挿通孔４ａ，４ｂに対応するボルト挿通孔８ｃ，８ｄが形成され、前記ボルト挿通孔８ｃ，８ｄからラジエータコアアッパサイド部４のボルト挿通孔４ａ，４ｂにボルト（図示せず）を挿通させてナット（図示せず）で固定することにより、ヘッドランプ７の後方側上部を固定するようになっている。
【００２６】
また、ヘッドランプ８の前方側内方には板状の取付部８ｅが形成されると共に、該取付部８ｅの先端には前記別体ブラケット５の底面部５ｄのボルト挿通孔５ｅに対応するボルト挿通孔８ｆが形成され、該ボルト挿通孔８ｆから別体ブラケット５のボルト挿通孔５ｅにボルト（図示せず）を挿通させてナット（図示せず）することにより、ヘッドランプ８の前方側内方を固定するようになっている。
【００２７】
さらに、ヘッドランプ８の前方側外方には矩形状の取付部８ｇが形成されると共に、該取付部８ｇは別体ブラケット７の側壁部７ｅのボルト挿通孔７ｇに対応するボルト挿通孔８ｈが形成され、前記該ボルト挿通孔７ｇから別体ブラケット７のボルト挿通孔８ｈにボルト（図示せず）を挿通させてナット（図示せず）することにより、ヘッドランプ８の前方側内方を固定するようになっている。
【００２８】
以下、本実施の形態のヘッドランプ８をラジエータコアサポート１に取り付ける工程を説明する。
【００２９】
先ず、別体ブラケット５，７を外した状態のラジエータコアサポート１を組み付け台（図示せず）に固定する。
【００３０】
次に、前記組み付け台（図示せず）に固定されたラジエータコアサポート１に対して、別体ブラケット５，７を所定位置に導くためのブラケット位置決め冶具（図示せず）を配置する。
【００３１】
次に、前記ブラケット位置決め冶具にブラケット５を当接させた状態で該別体ブラケット５をラジエータコアサイド３にボルトＢ１，Ｂ１にて固定する。
【００３２】
この際、ブラケット位置決め治具は別体ブラケット５の上下方向の位置を所定位置に位置決めする。
【００３３】
次に、前記ブラケット位置決め冶具に別体ブラケット７を当接させた状態で該別体ブラケット７をラジエータコアロア６にボルトＢ２，Ｂ２にて固定する。
【００３４】
この際、ブラケット位置決め治具は別体ブラケット７の車幅方向及び上下方向の位置を所定位置に位置決めする。
【００３５】
次に、ヘッドランプ８をラジエータコアサポート１に固定するためのヘッドランプ組付台（図示せず）に前記ラジエータコアサポート１を固定する。
【００３６】
次に、前記ヘッドランプ組付台に固定されたラジエータコアサポート１に対して、後述するヘッドランプ８を適正な位置に導くためのヘッドランプ合わせ冶具Ｈ１，Ｈ２を配置する。
【００３７】
次に、ヘッドランプ８の取付部８ｅ，８ｇを別体ブラケット５，７の底面部５ｄ，８ｉに載置した後、該ヘッドランプ８の後方側裏面８ｊが前記ヘッドランプ合わせ冶具に当接するまで該ヘッドランプ８を後方側へ押し込む。
【００３８】
最後に、ヘッドランプの取り付け部８ａ，８ｂ，８ｅ，８ｇを図外のボルトとナットにより固定することによってヘッドランプ８をラジエータコアサポート１に固定する。
【００３９】
従って、本実施の形態のヘッドランプ取付構造にあっては、別体ブラケット５でヘッドランプ８の上下方向における位置決めをした後、別体ブラケット７でヘッドランプ８の上下方向及び車幅方向における位置決めを行い、これら別体ブラケット５，７にヘッドランプ８を載置して該ヘッドランプ８の後方側裏面がヘッドランプ合わせ治具Ｈ１，Ｈ２に当接するまで押し込むという簡便な作業でもって、ヘッドランプ８をラジエータコアサポート１に対して精度良く位置決めして取付けることができる。
【００４０】
以上、本発明の実施の形態を説明してきたが、本発明の具体的構成は本実施の形態に限定されるものではなく、発明の要旨を逸脱しない範囲の設計変更などがあっても本発明に含まれる。
【００４１】
例えば、本実施の形態では別体ブラケット５をラジエータコアサイド３に設け、別体ブラケット７をラジエータコアロア６に設けたが、これらの固定位置は任意に設定することができる。
【００４２】
また、本実施の形態では、別体ブラケットを２箇所設けると共に、別体ブラケット５がヘッドランプ８における上下方向の位置を位置決めした後に別体ブラケット７がヘッドランプ８における上下方向及び車幅方向を位置決めするようにしたが、ブラケット位置決め治具が別体ブラケット５のヘッドランプ８における上下方向及び左右方向を同時に精度良く位置決めすることができる場合には、別体ブラケット７をラジエータコアロア６に固定された状態としても構わない。
【００４３】
また、前記別体ブラケットが固定されるボルト挿通孔３ａ，３ｂ，６ａ，６ｂの位置にウエルドナットを設けると共に、別体ブラケット５のボルト挿通孔５ｂ，５ｃを上下方向に長い長孔に形成し、別体ブラケット７のボルト挿通孔７ｂ，７ｃを前記ボルト挿通孔６ａ，６ｂよりも大きい径に形成して、それぞれボルトＢ１，Ｂ２をウエルドナットに固定しても良い。
【図面の簡単な説明】
【図１】本発明の実施の形態のヘッドランプ取付構造を示す斜視図である。
【図２】本実施の形態の別体ブラケット及びヘッドランプを取り付ける前のヘッドランプ取付構造を示す斜視図である。
【符号の説明】
１  ラジエータコアサポート
２  ラジエータコアアッパ
３  ラジエータコアサイド
４  ラジエータコアアッパサイド部
３ａ，３ｂ、４ａ、４ｂ、５ｂ、５ｃ、６ａ、６ｂ、７ｂ、７ｃ、７ｄ、８ｃ、８ｄ、８ｆ  ボルト挿通孔
５  別体ブラケット
５ａ  側壁部
５ｄ  底面部
６  ラジエータコアロア
７  別体ブラケット
７ａ  基部
７ｂ  突設部
７ｅ  側壁部
８  ヘッドランプ
８ａ、８ｂ、８ｅ、８ｇ  取付部
【図１】
2004262325.tif 000003
【図２】
2004262325.tif 000004